(57)【要約】【課題】  検査の際、コイルに対して、安定した駆動電流の供給を容易に行うことができるスピンドルモータを提供する。【解決手段】  回転体と対向配置されコイルを有するステータと、ステータが固定されたベース５と、ベース５のモータ外部側に設けられたフレキシブル配線基板１５とを有し、コイルの複数本の巻線の端部３ａ〜３ｃが上記配線基板１５の孔１９を通ってモータ外部側に導出されるスピンドルモータであって、各巻線の端部３ａ〜３ｃがそれぞれ上記配線基板１５に形成された複数個の主ランド２６ａ〜２６ｃに接続され、１個の主ランド２６ａ〜２６ｃごとに予備ランド２８ａ〜３０ｃが複数個ずつ対応して電気的に接続されており、各予備ランド２８ａ〜３０ｃを同心円３５上に配置し、各予備ランド２８ａ〜３０ｃ間の間隔を同一角度ピッチにした。【選択図】  図２
2005210836.tif 000002
【特許請求の範囲】
【請求項１】
駆動磁石が固定された回転体と、この回転体と対向して配置されコイルを有するステータと、このステータが固定されたベースと、このベースのモータ外部側に設けられたフレキシブル配線基板とを有し、
上記ベースとフレキシブル配線基板とに互いに連通する孔が形成され、
上記コイルの複数本の巻線の端部が上記孔を通って上記モータ外部側に導出されるスピンドルモータであって、
上記フレキシブル配線基板の孔から導出された複数本の巻線の端部はそれぞれフレキシブル配線基板に形成された複数個の主ランドに接続され、
１個の主ランドごとに予備ランドが複数個ずつ対応して電気的に接続されていることを特徴とするスピンドルモータ。
【請求項２】
各予備ランドを同心円上に配置し、各予備ランド間の間隔を同一角度ピッチにしたことを特徴とする請求項１記載のスピンドルモータ。
【請求項３】
各予備ランドを同一直線上に配置し、各予備ランド間の間隔を同一ピッチにしたことを特徴とする請求項１記載のスピンドルモータ。
【発明の詳細な説明】
【技術分野】
【０００１】
本発明はハードディスクドライブ等に内蔵されるスピンドルモータに関する。
【背景技術】
【０００２】
従来、この種のスピンドルモータとしては、薄型化を図るために、例えば、図７，図８に示すように、ディスクを保持するハブ５１の内部に駆動磁石５２が固着され、コイル５３を有し且つハブ５１と対向して配置されたステータ５４がベース５５に固定され、ステータ５４とベース５５との間に絶縁シート５６が設けられ、ベース５５のモータ外部側にフレキシブル配線基板５７（ＦＰＣ）が設けられている。上記ベース５５と絶縁シート５６とフレキシブル配線基板５７とにはそれぞれ、互いに連通する孔５５ａ，５６ａ，５７ａが形成され、上記コイル５３の複数本の巻線の端部５３ａ〜５３ｄは上記孔５５ａ，５６ａ，５７ａを通って上記モータ外部側に導出されている。
【０００３】
尚、上記孔５６ａ，５７ａの径は孔５５ａの径よりも小さく、これによって、巻線の端部５３ａ〜５３ｄがベース５５の孔５５ａの内周面に接触するのを防止し、巻線の端部５３ａ〜５３ｄの絶縁が保たれる。
【０００４】
上記導出された複数本の巻線の端部５３ａ〜５３ｄはそれぞれフレキシブル配線基板５７に形成された複数の半田付けランド５９ａ〜５９ｄに接続されている。また、フレキシブル配線基板５７には、例えば検査工程におけるコイル５３への給電用としてのテストランド６０ａ〜６０ｄが形成されており、これらテストランド６０ａ〜６０ｄは上記各半田付けランド５９ａ〜５９ｄに結線されている。尚、１個の半田付けランド５９ａ〜５９ｄに対して１個のテストランド６０ａ〜６０ｄが結線されている。
【０００５】
これによると、スピンドルモータを検査する場合、各テストランド６０ａ〜６０ｄに針状の接点端子（コンタクトピン）を押し付けて接触させることにより、コイル５３に給電している（特許文献１参照）。
【０００６】
しかしながら上記の従来形式では押圧式接点による電源供給であるため、接点端子を各テストランド６０ａ〜６０ｄに多数回接触させた場合、接触部分の微摺動摩耗によって各テストランド６０ａ〜６０ｄの表面にスラッジが発生し、接点インピーダンスが大きくなり、安定した駆動電流の供給が困難になるといった問題がある。
【特許文献１】実用新案登録第２５５１１６８号公報
【発明の開示】
【発明が解決しようとする課題】
【０００７】
本発明は、検査の際、コイルに対して、安定した駆動電流の供給を容易に行うことができるスピンドルモータを提供することを目的とする。
【課題を解決するための手段】
【０００８】
上記目的を達成するために本第１発明は、駆動磁石が固定された回転体と、この回転体と対向して配置されコイルを有するステータと、このステータが固定されたベースと、このベースのモータ外部側に設けられたフレキシブル配線基板とを有し、
上記ベースとフレキシブル配線基板とに互いに連通する孔が形成され、
上記コイルの複数本の巻線の端部が上記孔を通って上記モータ外部側に導出されるスピンドルモータであって、
上記フレキシブル配線基板の孔から導出された複数本の巻線の端部はそれぞれフレキシブル配線基板に形成された複数個の主ランドに接続され、
１個の主ランドごとに予備ランドが複数個ずつ対応して電気的に接続されているものである。
【０００９】
これによると、検査の際、各主ランドごとに、対応する複数個の予備ランドのうちのいずれか所定の予備ランドに接点端子を押し付けて接触させる。これにより、駆動電流が予備ランドから主ランドを経てコイルに給電される。ここで、１個の主ランドごとに予備ランドが複数個ずつ対応しているため、各接点端子を予備ランドに多数回接触させる場合、
各接点端子を所定の予備ランドに所定回数接触させた後、各接点端子を所定の予備ランドとは別の予備ランドに所定回数接触させて、コイルに給電することができる。このように接触させる予備ランドを変えることにより、予備ランド１個当りの接触回数を減らすことができるため、スラッジの発生を防止することができ、スラッジによる導通不良の発生が阻止され、コイルに対して安定した駆動電流の供給を容易に行うことができる。
【００１０】
また、本第２発明は、各予備ランドを同心円上に配置し、各予備ランド間の間隔を同一角度ピッチにしたものである。
これによると、複数の接点端子を備えた端子ユニットを１ピッチずつ回転移動させることによって、各接点端子を容易かつ迅速に所定の予備ランドとは別の予備ランドに移行させることができる。
【００１１】
また、本第３発明は、各予備ランドを同一直線上に配置し、各予備ランド間の間隔を同一ピッチにしたものである。
これによると、複数本の接点端子を備えた端子ユニットを１ピッチずつ直線移動させることによって、各接点端子を容易かつ迅速に所定の予備ランドとは別の予備ランドに移行させることができる。
【発明の効果】
【００１２】
本発明によると、１個の主ランドごとに予備ランドが複数個ずつ対応しているため、各接点端子を予備ランドに多数回接触させる場合、各接点端子を所定の予備ランドに所定回数接触させた後、各接点端子を所定の予備ランドとは別の予備ランドに所定回数接触させて、コイルに給電することができる。このように接触させる予備ランドを変えることにより、予備ランド１個当りの接触回数を減らすことができるため、スラッジの発生を防止することができ、スラッジによる導通不良の発生が阻止され、コイルに対して安定した駆動電流の供給を容易に行うことができる。
【００１３】
また、複数の接点端子を備えた端子ユニットを１ピッチ分ずつ回転移動又は直線移動させることによって、各接点端子を容易かつ迅速に所定の予備ランドとは別の予備ランドに移行することができる。
【発明を実施するための最良の形態】
【００１４】
以下、本発明における第１の実施の形態について図１〜図４に基づいて説明する。
図１に示すように、１はハードディスクドライブ等に内蔵されるスピンドルモータであり、回転体２と、この回転体２と対向して配置されコイル３を有するステータ４と、このステータ４が固定されたベース５とを有している。上記回転体２は、円筒状のスリーブ７に回転自在に挿入されたシャフト８と、シャフト８の先端に取り付けられたハブ９とで構成されている。ハブ９の外周部には磁気ディスク（図示せず）が固定され、また、ハブ９の内周部には、円環状の駆動磁石１０がヨーク１１を介して取り付けられている。
【００１５】
上記シャフト８の基端にはスラストフランジ１２がねじ止めされ、スラストフランジ１２の円形平面部に対向するスラストプレート１３がスリーブ７に固定されている。上記スラストフランジ１２とスリーブ７との対向する隙間ならびにスラストフランジ１２とスラストプレート１３との間およびシャフト８の周面とスリーブ７の内周面との間に、潤滑油を注入して、スラスト軸受２３とラジアル軸受２４とが形成されている。
【００１６】
上記ベース５は、円板状部５ａと、この円板状部５ａの中央部に立設された円筒状部５ｂとで構成されている。上記スリーブ７は円筒状部５ｂに挿入され固定されている。また、上記ステータ４は円筒状部５ｂの外周部に設けられている。
【００１７】
上記ステータ４とベース５の円板状部５ａとの間には絶縁シート１４が設けられている。尚、絶縁シート１４は上記円板状部５ａに装着されている。また、上記円板状部５ａのモータ外部側にはフレキシブル配線基板１５（ＦＰＣ）が設けられている。さらに、上記円板状部５ａには、上下に貫通するストレート状の孔１７が形成されており、絶縁シート１４とフレキシブル配線基板１５とにはそれぞれ、上記孔１７と重複する位置に孔１８，１９が形成されている。これらの孔１７，１８，１９は互いに連通しており、孔１８，１９の直径は孔１７の直径よりも小さく形成されている。
【００１８】
また、上記コイル３は複数の相からなり、相数に応じた複数本（図２では３本）のコイル巻線の端部３ａ〜３ｃが上記各孔１７，１８，１９を通ってモータ外部側に導出されている。フレキシブル配線基板１５には第１〜第３の主ランド２６ａ〜２６ｃが形成されており、フレキシブル配線基板１５の孔１９から導出された第１のコイル巻線の端部３ａは第１の主ランド２６ａに半田で接続され、第２のコイル巻線の端部３ｂは第２の主ランド２６ｂに半田で接続され、第３のコイル巻線の端部３ｃは第３の主ランド２６ｃに半田で接続されている。
【００１９】
さらに、フレキシブル配線基板１５には、第１の主ランド２６ａに対応する第１〜第３の予備ランド２８ａ，２９ａ，３０ａと、第２の主ランド２６ｂに対応する第１〜第３の予備ランド２８ｂ，２９ｂ，３０ｂと、第３の主ランド２６ｃに対応する第１〜第３の予備ランド２８ｃ，２９ｃ，３０ｃとが形成されている。
【００２０】
尚、第１〜第３の予備ランド２８ａ，２９ａ，３０ａをＡグループとし、第１〜第３の予備ランド２８ｂ，２９ｂ，３０ｂをＢグループとし、第１〜第３の予備ランド２８ｃ，２９ｃ，３０ｃをＣグループとすると、上記Ａグループの各予備ランド２８ａ，２９ａ，３０ａはフレキシブル配線基板１５に形成されたパターン３２ａによって第１の主ランド２６ａに電気的に接続され、Ｂグループの各予備ランド２８ｂ，２９ｂ，３０ｂはフレキシブル配線基板１５に形成されたパターン３２ｂによって第２の主ランド２６ｂに電気的に接続され、Ｃグループの各予備ランド２８ｃ，２９ｃ，３０ｃはフレキシブル配線基板１５に形成されたパターン３２ｃによって第３の主ランド２６ｃに電気的に接続されている。
【００２１】
図２，図３に示すように、各主ランド２６ａ〜２６ｃはフレキシブル配線基板１５の孔１９を中心とする同心円３４上に配置され、各主ランド２６ａ〜２６ｃ間の間隔は同一角度ピッチＰ１に設定されている。また、各予備ランド２８ａ〜３０ａ，２８ｂ〜３０ｂ，２８ｃ〜３０ｃは上記同心円３４よりも外側に位置する同心円３５上に配置され、各予備ランド２８ａ〜３０ａ，２８ｂ〜３０ｂ，２８ｃ〜３０ｃ間の間隔は同一角度ピッチＰ２に設定されている。
【００２２】
尚、上記フレキシブル配線基板１５の先端にはコネクタ（図示せず）が接続され、このコネクタを通じて各コイル３に給電することができる。
また、スピンドルモータ１を検査する場合、押圧式接点による電源供給機として、複数本（図４では３本）の接点端子４０ａ〜４０ｃを備えた端子ユニット４１が用いられている。上記端子ユニット４１は、各予備ランド２８ａ〜３０ａ，２８ｂ〜３０ｂ，２８ｃ〜３０ｃに対して接触離間する方向Ｘと、同心円３５に沿った方向Ｙとに移動自在に構成されている。
【００２３】
以下、上記構成における作用を説明する。
スピンドルモータ１を検査する際、図４の一点鎖線で示すように、端子ユニット４１を方向Ｘに移動し、接点端子４０ａをＡグループの第１の予備ランド２８ａに押し付けて接触させ、接点端子４０ｂをＢグループの第１の予備ランド２８ｂに押し付けて接触させ、接点端子４０ｃをＣグループの第１の予備ランド２８ｃに押し付けて接触させる。これにより、駆動電流が上記各第１の予備ランド２８ａ，２８ｂ，２８ｃから各主ランド２６ａ〜２６ｃを経て各コイル３に給電される。
【００２４】
この際、検査工程において各接点端子４０ａ〜４０ｃを上記各予備ランド２８ａ〜２８ｃに押し付ける回数を、スラッジが発生する回数よりも少ない所定回数とする。
そして、所定回数に達すると、図４の実線で示すように、端子ユニット４１を方向Ｘに移動し、各接点端子４０ａ〜４０ｃを各予備ランド２８ａ〜２８ｃから離間させ、次に、図４の二点鎖線で示すように、端子ユニット４１を方向Ｙへ１ピッチＰ２分だけ回転移動させ、その後、端子ユニット４１を方向Ｘに移動して、接点端子４０ａをＡグループの第２の予備ランド２９ａに押し付けて接触させ、接点端子４０ｂをＢグループの第２の予備ランド２９ｂに押し付けて接触させ、接点端子４０ｃをＣグループの第２の予備ランド２９ｃに押し付けて接触させる。これにより、駆動電流が上記各第２の予備ランド２９ａ，２９ｂ，２９ｃから各主ランド２６ａ〜２６ｃを経て各コイル３に給電される。
【００２５】
そして、所定回数に達すると、上記と同様に、端子ユニット４１を方向Ｘに移動し、各接点端子４０ａ〜４０ｃを各予備ランド２９ａ〜２９ｃから離間させ、端子ユニット４１を方向Ｙへ１ピッチＰ２分だけ回転移動させ、その後、端子ユニット４１を方向Ｘに移動して、接点端子４０ａをＡグループの第３の予備ランド３０ａに押し付けて接触させ、接点端子４０ｂをＢグループの第３の予備ランド３０ｂに押し付けて接触させ、接点端子４０ｃをＣグループの第３の予備ランド３０ｃに押し付けて接触させる。これにより、駆動電流が上記各第３の予備ランド３０ａ，３０ｂ，３０ｃから各主ランド２６ａ〜２６ｃを経て各コイル３に給電される。
【００２６】
上記のように、各接点端子４０ａ〜４０ｃを予備ランドに多数回接触させる場合、先ず、各接点端子４０ａ〜４０ｃを所定の予備ランドに所定回数接触させ、その後、端子ユニット４１を方向Ｙへ移動させ、各接点端子４０ａ〜４０ｃを上記所定の予備ランドとは別の予備ランドに接触させ、各コイル３に給電することにより、予備ランド１個当りの接触回数を減らすことができるため、スラッジの発生を防止することができ、スラッジによる導通不良の発生が阻止され、コイル３に対して安定した駆動電流の供給を容易に行うことができる。
【００２７】
また、上記端子ユニット４１を方向Ｙへ１ピッチＰ２ずつ回転移動させることによって、各接点端子４０ａ〜４０ｃを容易かつ迅速に第１の予備ランド２８ａ〜２８ｃと第２の予備ランド２９ａ〜２９ｃと第３の予備ランド３０ａ〜３０ｃとに移行させることができる。
【００２８】
次に、本発明における第２の実施の形態として、図５，図６に示すように、各主ランド２６ａ〜２６ｃが同一直線４５上に配置され、各主ランド２６ａ〜２６ｃ間の間隔は同一ピッチＰ３に設定されている。また、各予備ランド２８ａ〜３０ａ，２８ｂ〜３０ｂ，２８ｃ〜３０ｃは上記同一直線４５と平行な同一直線４６上に配置され、各予備ランド２８ａ〜３０ａ，２８ｂ〜３０ｂ，２８ｃ〜３０ｃ間の間隔は同一ピッチＰ４に設定されている。
【００２９】
また、図４に示すように、上記端子ユニット４１は、各予備ランド２８ａ〜３０ａ，２８ｂ〜３０ｂ，２８ｃ〜３０ｃに対して接触離間する方向Ｘと、同一直線４６に沿った方向Ｙとに移動自在に構成されている。
【００３０】
これによると、上記端子ユニット４１を方向Ｙへ１ピッチＰ４ずつ直線移動させることによって、各接点端子４０ａ〜４０ｃを容易かつ迅速に第１の予備ランド２８ａ〜２８ｃと第２の予備ランド２９ａ〜２９ｃと第３の予備ランド３０ａ〜３０ｃとに移行させることができる。
【００３１】
上記各実施の形態では、３本のコイル巻線の端部３ａ〜３ｃをモータ外部側に導出しているが、３本に限定されるものではなく、２本又は４本以上であってもよい。また、フレキシブル配線基板１５に主ランド２６ａ〜２６ｃを３個形成しているが、３個に限定されるものではなく、上記コイル巻線の端部３ａ〜３ｃの本数に応じて、２個又は４個以上形成してもよい。
【００３２】
上記各実施の形態では、個々の主ランド２６ａ〜２６ｃに対してそれぞれ３個の予備ランド２８ａ〜３０ａ，２８ｂ〜３０ｂ，２８ｃ〜３０ｃを電気的に接続しているが、３個に限定されるものではなく、個々の主ランド２６ａ〜２６ｃに対してそれぞれ２個又は４個以上の予備ランド２８ａ〜３０ａ，２８ｂ〜３０ｂ，２８ｃ〜３０ｃを電気的に接続してもよい。
【００３３】
上記各実施の形態では、図４に示すように、端子ユニット４１に３本の接点端子４０ａ〜４０ｃを備えているが、３本に限定されるものではなく、主ランド２６ａ〜２６ｃの個数に応じて、２本又は４本以上備えてもよい。
【産業上の利用可能性】
【００３４】
本発明は、ハードディスクドライブ用のスピンドルモータのみならず、さらにはビデオテープレコーダやその他のモータにも適用できる。
【図面の簡単な説明】
【００３５】
【図１】本発明の第１の実施の形態におけるスピンドルモータの断面図である。
【図２】図１におけるＡ−Ａ矢視図である。
【図３】同、スピンドルモータのフレキシブル配線基板の各ランドの配置を示す図である。
【図４】同、スピンドルモータを検査する際、給電に用いられる端子ユニットの図である。
【図５】本発明の第２の実施の形態におけるスピンドルモータのフレキシブル配線基板と各ランドとの図である。
【図６】同、スピンドルモータのフレキシブル配線基板の各ランドの配置を示す図である。
【図７】従来のディスク駆動用モータの断面図である。
【図８】同、ディスク駆動用モータのフレキシブル配線基板と各ランドとの図である。
【符号の説明】
【００３６】
１    スピンドルモータ
２    回転体
３    コイル
３ａ〜３ｃ    巻線の端部
４    ステータ
５    ベース
１０    駆動磁石
１５    フレキシブル配線基板
１７，１９    孔
２６ａ〜２６ｃ    主ランド
２８ａ〜２８ｃ，２９ａ〜２９ｃ，３０ａ〜３０ｃ    予備ランド
３５    同心円
４６    同一直線
Ｐ２，Ｐ４    ピッチ
【図１】
2005210836.tif 000003
【図２】
2005210836.tif 000004
【図３】
2005210836.tif 000005
【図４】
2005210836.tif 000006
【図５】
2005210836.tif 000007
【図６】
2005210836.tif 000008
【図７】
2005210836.tif 000009
【図８】
2005210836.tif 000010